(57)【要約】【課題】自由設定ダイヤル機能と固定ダイヤル機能とを切り替える切替手段が従来よりも簡易な構成であるダイヤル錠を提供する。【解決手段】ダイヤル錠の切替部は、ダイヤル部と操作部との間に位置し筐体に支持される切替シャフト部と、筐体に支持され、切替シャフト部又は操作部と連動して回動するクランク部であって、軸部から操作部に向けて伸びるクランク本体部と、クランク本体部の途中から切替シャフト部に向けて伸びるクランク枝部とを有するクランク部と、を含み、クランク部は、解錠状態かつ自由設定ダイヤル状態では、軸部を往動位置に移動させ、その他の状態では、軸部を復動位置に移動させる。【選択図】図３
2019218764.tif 000002
【特許請求の範囲】
【請求項１】
施錠状態と、解錠状態と、解錠状態とするダイヤル符号の組合せである解錠符号を自由に設定可能な自由設定ダイヤル状態と、解錠符号の組合せが固定された固定ダイヤル状態とを有するダイヤル錠であって、
筐体に支持され、軸方向へ往復動自在な軸部であって、解錠状態かつ自由設定ダイヤル状態において往動位置となり、それ以外の状態である、施錠状態かつ自由設定ダイヤル状態、施錠状態かつ固定ダイヤル状態、及び解錠状態かつ固定ダイヤル状態において復動位置となる軸部と、
軸部に回動自在に支持された複数のローター部と、
軸部に回動自在に支持され、ローター部と係合自在であり、周面にダイヤル符号を有する円盤状の複数のダイヤル部であって、解錠状態かつ自由設定ダイヤル状態では、ローター部との係合が解除されてローター部から独立して回動し、それ以外の状態では、ローター部と係合してローター部と共に回動するダイヤル部と、
施錠状態とする施錠操作と、解錠状態とする解錠操作を受け付け、閂を動かす操作部と、
ローター部と操作部と連動し、施錠状態においてダイヤル部が解錠符号でない場合、操作部の解錠操作を規制する規制部と、
軸部と操作部と連動し、自由設定ダイヤル状態と固定ダイヤル状態とを切り替える切替部と、を備え、
切替部は、ダイヤル部と操作部との間に位置し筐体に支持される切替シャフト部と、筐体に支持され、切替シャフト部又は操作部と連動して回動するクランク部であって、軸部から操作部に向けて伸びるクランク本体部と、クランク本体部の途中から切替シャフト部に向けて伸びるクランク枝部とを有するクランク部と、を含み、
クランク部は、解錠状態かつ自由設定ダイヤル状態では、軸部を往動位置に移動させ、その他の状態では、軸部を復動位置に移動させる、ダイヤル錠。
【請求項２】
切替部は、解錠状態及び施錠状態、かつ固定ダイヤル状態では、クランク枝部の先端が切替シャフト部で押されることでクランク部が回動し、本体部の基端で軸部を押して軸部を復動位置に移動させ、解錠状態かつ自由設定ダイヤル状態では、クランク枝部の先端が切替シャフト部で押されず、軸部の付勢力により軸部を往動位置に移動させ、施錠状態かつ自由設定ダイヤル状態では、クランク本体部の先端が操作部で押されることでクランク部が回動し、クランク本体部の基端で軸部を押して軸部を復動位置に移動させる、請求項１に記載のダイヤル錠。
【請求項３】
操作部は、施錠操作と解錠操作に応じて、閂を直線運動させる、請求項１又は２に記載のダイヤル錠。
【請求項４】
操作部は、閂に係合する係合突起を有し、筐体に支持されるドライブシャフト部と、ドライブシャフト部と接続され、クランク本体部の先端を押すセンターカム部と、センターカム部と接続されるツマミ部と、を含み、
閂は、直線状のプレート部材からなり、一方の短辺から長手方向に切り欠かれ、ドライブシャフト部がスライドする閂の貫通溝と、貫通溝の近傍、かつ一方の長辺に切り欠かれ、ドライブシャフト部の係合突起を支持する閂の支持用切欠きと、を含む、請求項３に記載のダイヤル錠。
【請求項５】
解錠符号を検索する検索鍵が挿入される検索用シリンダー部と、
検索用シリンダー部に検索鍵が挿入され検索状態となるとローター部の回動を制御して解錠符号を検索する検索部と、を更に備え、
検索用シリンダー部は、操作部と並んで配置されている、請求項１から４の何れか１項に記載のダイヤル錠。
【請求項６】
ダイヤル部とダイヤル部との間を覆うカバー部を更に備える、請求項１から５の何れか１項に記載のダイヤル錠。
【発明の詳細な説明】
【技術分野】
【０００１】
本発明は、ダイヤル錠に関する。
【背景技術】
【０００２】
キャビネット、収納ワゴン、ロッカー等の収納庫や、扉を施錠する錠前の一つとして、複数のダイヤル数字が所定の組合せになると解錠するダイヤル式の錠前（以下、ダイヤル錠という）がある。ダイヤル錠には、解錠するダイヤル数字の組合せを自由に設定可能なダイヤル錠や、解錠するダイヤル数字の組合せが固定されているダイヤル錠がある。また、特許文献１には、解錠するダイヤル数字の組合せを自由に設定可能な自由設定ダイヤル機能と、解錠するダイヤル数字の組合せが固定されている固定ダイヤル機能とを、切替手段で切替可能なダイヤル錠が記載されている。
【先行技術文献】
【特許文献】
【０００３】
【特許文献１】特許第３３５８０８２号公報
【発明の概要】
【発明が解決しようとする課題】
【０００４】
特許文献１に記載されているような、自由設定ダイヤル機能と固定ダイヤル機能とを備える多機能のダイヤル錠によれば、目的や用途に応じて、自由設定ダイヤル機能と固定ダイヤル機能とを切替手段により切り替えて使用することができる。一方で、多機能のダイヤル錠は、単機能のダイヤル錠と比較すると、切替手段を構成する部品が増加し、構成が複雑となる。その結果、ダイヤル錠が大型化する、コストが増加する、組み立て作業が困難になる、他の部品の形状や配置が設計上制約を受けることが懸念される。
【０００５】
本発明は、上記の問題に鑑み、自由設定ダイヤル機能と固定ダイヤル機能とを切り替える切替手段が従来よりも簡易な構成であるダイヤル錠を提供することを課題とする。
【課題を解決するための手段】
【０００６】
上記課題を解決するため、本発明は、施錠状態と、解錠状態と、解錠状態とするダイヤル符号の組合せである解錠符号を自由に設定可能な自由設定ダイヤル状態と、解錠符号の組合せが固定された固定ダイヤル状態とを有するダイヤル錠であって、筐体に支持され、軸方向へ往復動自在な軸部であって、解錠状態かつ自由設定ダイヤル状態において往動位置となり、それ以外の状態である、施錠状態かつ自由設定ダイヤル状態及び固定ダイヤル状態、及び解錠状態かつ固定ダイヤル状態において復動位置となる軸部と、軸部に回動自在に支持された複数のローター部と、軸部に回動自在に支持され、ローター部と係合自在であり、周面にダイヤル符号を有する円盤状の複数のダイヤル部であって、解錠状態かつ自由設定ダイヤル状態では、ローター部との係合が解除されてローター部から独立して回動し、それ以外の状態では、ローター部と係合してローター部と共に回動するダイヤル部と、施錠状態とする施錠操作と、解錠状態とする解錠操作を受け付け、閂を動かす操作部と、ローター部と操作部と連動し、施錠状態においてダイヤル部が解錠符号でない場合、操作部の解錠操作を規制する規制部と、軸部と操作部と連動し、自由設定ダイヤル状態と固定ダイヤル状態とを切り替える切替部と、を備え、切替部は、ダイヤル部と操作部との間に位置し筐体に支持される切替シャフト部と、筐体に支持され、切替シャフト部又は操作部と連動して回動するクランク部であって、軸部から操作部に向けて伸びるクランク本体部と、クランク本体部の途中から切替シャフト部に向けて伸びるクランク枝部とを有するクランク部と、を含み、クランク部は、解錠状態かつ自由設定ダイヤル状態では、軸部を往動位置に移動させ、その他の状態では、軸部を復動位置に移動させるダイヤル錠である。
【０００７】
本発明に係るダイヤル錠は、切替部を備えることで、用途や目的に応じて、自由設定ダイヤル状態と固定ダイヤル状態とを切り替えて使用することができる。また、本発明に係るダイヤル錠は、切替部がダイヤル部と操作部との間に配置さされ、クランク部がクランク本体部とクランク枝部で構成され、クランク部が軸部と切替シャフト部と操作部と連動して回動できるよう構成されている。クランク部は、従来技術（例えば、例えば特許文献１に記載の「切替部材（９）」）のように他の部品を介さずに、直接切替シャフト部や操作部と連動して回動できる。すなわち、本発明に係るダイヤル錠は、自由設定ダイヤル機能と固定ダイヤル機能とを切り替える切替手段に対応する切替部が従来よりも簡易な構成となっている。
【０００８】
本発明に係るダイヤル錠は、キャビネット、収納ワゴン、ロッカー等の収納庫や、扉を施錠する錠前として使用することができる。施錠状態は、閂が収納庫や扉の受具と係合する状態であり、解錠状態は、閂と、収納庫や扉の受具との係合が解除された状態である。施錠状態と解錠状態は、操作部で切り替えることができ、自由設定ダイヤル状態と固定ダイヤル状態は、切替部で切り替えることができる。本発明に係るダイヤル錠の状態は、適宜組み合わされ、解錠状態かつ自由設定ダイヤル状態、解錠状態かつ固定ダイヤル状態、施錠状態かつ自由設定ダイヤル状態、施錠状態かつ固定ダイヤル状態を含む。軸部は、往動位置と復動位置との間を往復動自在である。往動位置は、解錠状態かつ自由設定ダイヤル状態での位置である。復動位置は、それ以外の状態での位置である。ダイヤル部は、解錠状態かつ自由設定ダイヤル状態では、ローター部から独立して回動する。その結果、解錠符号を自由に設定することができる。一方で、ダイヤル部は、解錠状態かつ自由設定ダイヤル状態以外の状態では、ローター部と係合して共に回動する。また、規制部は、ローター部と操作部と連動している。そのため、例えば、施錠状態においてダイヤル部が解錠符号でない場合、操作部の解錠操作を規制することが可能となる。
【０００９】
ダイヤル符号は、例えば、０から９の数字で構成することができるが、これに限定されない。符号は、他の数字でもよく、また、文字等でもよく、識別できればよい。ダイヤル部は、４つを並べて配置することができるが、数は限定されない。ローター部は、ダイヤル部の数に応じて配置することができる。解錠符号は、任意に設定、換言すると、使用時に変更することができる。
【００１０】
ここで、本発明に係るダイヤル錠において、切替部は、解錠状態及び施錠状態、かつ固定ダイヤル状態では、クランク枝部の先端が切替シャフト部で押されることでクランク部が回動し、本体部の基端で軸部を押して軸部を復動位置に移動させ、解錠状態かつ自由設定ダイヤル状態では、クランク枝部の先端が切替シャフト部で押されないことでクランク部が回動して軸部を往動位置に移動させ、施錠状態かつ自由設定ダイヤル状態では、クランク本体部の先端が操作部で押されることでクランク部が回動し、クランク本体部の基端で軸部を押して軸部を復動位置に移動させることができる。
【００１１】
本発明に係るダイヤル錠では、切替シャフト部がダイヤル部と操作部の間に配置され、クランク部がクランク本体部とクランク枝部で構成され、切替部が上記のように作用することで、切替部が従来よりも簡易な構成でありながら、自由設定ダイヤル状態と固定ダイヤル状態とを切り替えることができる。
【００１２】
また、本発明に係るダイヤル錠において、操作部は、施錠操作と解錠操作に応じて、閂を直線運動させるようにしてもよい。閂は、回動運動するものでもよいが、直線運動するものとすることで、回動運動する閂では取り付けが難しい収納庫や扉にもダイヤル錠を用いることができる。
【００１３】
閂を直線運動させる場合、例えば、以下のように構成することができる。例えば、操作部は、閂に係合する係合突起を有し、筐体に支持されるドライブシャフト部と、ドライブシャフト部と接続され、クランク本体部の先端を押すセンターカム部と、センターカム部と接続されるツマミ部と、を含み、閂は、直線状のプレート部材からなり、一方の短辺から長手方向に切り欠かれ、ドライブシャフト部がスライドする閂の貫通溝と、貫通溝の近傍、かつ一方の長辺に切り欠かれ、ドライブシャフト部の係合突起を支持する閂の支持用切欠きと、を含むようにしてもよい。
【００１４】
これにより、操作部を操作することで、閂を直線運動させることができる。
【００１５】
また、本発明に係るダイヤル錠は、解錠符号を検索する検索鍵が挿入される検索用シリンダー部と、検索用シリンダー部に検索鍵が挿入され検索状態となるとローター部の回動を制御して解錠符号を検索する検索部と、を更に備え、検索用シリンダー部は、操作部と並んで配置されているものでもよい。
【００１６】
検索用シリンダー部と検索部とを更に備えることで、解錠符号を検索することが可能となる。また、本発明に係るダイヤル錠では、切替部がダイヤル部と操作部との間に配置されたことで操作部の隣に新たな空間が形成され、この空間に検索用シリンダー部が配置されている。すなわち、本発明に係るダイヤル錠は、切替部を簡易な構成としたことで生まれた空間を検索用シリンダー部の設置場所とすることで、切替部と検索用シリンダー部とを並んで配置することができる。その結果、例えば、特許文献１に記載の錠前では、「ノブ」と「検索カム」が「ダイヤルリング」の両側に分散して配置されているが、このような従来技術と比較して、全体の小型化が実現されている。
【００１７】
また、本発明に係る錠前装置は、操作部と接続されるシリンダー錠であって、鍵穴を有する内筒と、内筒を装着する外筒と、を含み、鍵穴に対する内筒交換鍵の挿入によって外筒に対する内筒の摺動が許容されると共に当該外筒から当該内筒を抜き取り可能な内筒交換式シリンダー錠を更に備えるものでもよい。これにより、外筒に回動自在に嵌め込まれた内筒（シリンダー）の交換が可能となる。
【００１８】
また、本発明に係るダイヤル錠は、ダイヤル部とダイヤル部との間を覆うカバー部を更に備えるものでもよい。
【００１９】
カバー部を更に備えることで、埃などがダイヤル部とダイヤル部との間に侵入することを抑制できる。その結果、ダイヤル部やローター部の回動の不具合の発生を抑制できる。
【００２０】
また、本発明は、上述したダイヤル錠を備える収納庫や扉として特定してもよい。
【発明の効果】
【００２１】
本発明によれば、自由設定ダイヤル機能と固定ダイヤル機能とを切り替える切替手段が従来よりも簡易な構成であるダイヤル錠を提供することができる。
【図面の簡単な説明】
【００２２】
【図１Ａ】図１Ａは、第１実施形態に係るダイヤル錠の外観図（（ａ）正面図、（ｂ）側面図、（ｃ）背面図）を示す。
【図１Ｂ】図１Ｂは、第１実施形態に係るダイヤル錠の外観図（（ａ）解錠状態の正面図、（ｂ）施錠状態の正面図）を示す。
【図２】図２は、第１実施形態に係るダイヤル錠について、表面プレート、クランク固定板、及びプロテクターを外した正面図を示す。
【図３】図３は、第１実施形態に係るダイヤル錠の分解斜視図を示す。
【図４】図４は、第１実施形態に係るダイヤル、メモリーローター、ダイヤルシャフト、プッシュナットの分解斜視図を示す。
【図５】図５は、第１実施形態に係るダイヤル、メモリーローター、ダイヤルシャフト、プッシュナットを説明する図を示す。
【図６】図６は、第１実施形態に係るドライブシャフトの外観図（（ａ）正面図、（ｂ）側面図）を示す。
【図７】図７は、第１実施形態に係るダイヤル錠について、固定ダイヤル状態における、動作説明図（１）を示す。
【図８】図８は、第１実施形態に係るダイヤル錠について、固定ダイヤル状態における動作説明図（２）を示す。
【図９】図９は、第１実施形態に係るダイヤル錠について、固定ダイヤル状態又は自由設定ダイヤル状態における動作説明図（３）を示す。
【図１０】図１０は、第１実施形態に係るダイヤル錠について、固定ダイヤル状態又は自由設定ダイヤル状態における動作説明図（４）を示す。
【図１１】図１１は、第１実施形態に係るダイヤル錠について、自由設定ダイヤル状態における動作説明図を示す。
【図１２】図１２は、第１実施形態に係るダイヤル錠について、番号検索を行う場合の説明図（１）を示す。
【図１３】図１３は、第１実施形態に係るダイヤル錠について、番号検索を行う場合の説明図（２）を示す。
【図１４】図１４は、第２実施形態に係るダイヤル錠の分解斜視図を示す。
【図１５】図１５は、第３実施形態に係るダイヤル錠に用いられる検索アーム、及び検索アームアシストの組み立て完成斜視図を示す。
【図１６】図１６は、第３実施形態に係るダイヤル錠に用いられる検索アーム、及び検索アームアシストの分解斜視図を示す。
【発明を実施するための形態】
【００２３】
次に、本発明の実施形態について図面に基づいて説明する。以下の説明は例示であり、本発明は以下の内容に限定されるものではない。
【００２４】
＜第１実施形態＞
＜構成＞
図１Ａは、第１実施形態に係るダイヤル錠の外観図（（ａ）正面図、（ｂ）側面図、（ｃ）背面図）を示す。図１Ｂは、第１実施形態に係るダイヤル錠の外観図（（ａ）解錠状態の正面図、（ｂ）施錠状態の正面図）を示す。図２は、第１実施形態に係るダイヤル錠について、表面プレート、クランク固定板、及びプロテクターを外した正面図を示す。図３は、第１実施形態に係るダイヤル錠の分解斜視図を示す。図４は、第１実施形態に係るダイヤル、メモリーローター、ダイヤルシャフト、プッシュナットの分解斜視図を示す。図５は、第１実施形態に係るダイヤル、メモリーローター、ダイヤルシャフト、プッシュナットを説明する図を示す。図５（ａ）は、ダイヤルシャフトが往動位置にある状態を示す。図５（ｂ）は、ダイヤルシャフトが復動位置にある状態を示す。図５（ｃ）は、図５（ｂ）のｃ−ｃ断面図を示す。図５（ｄ）は、図５（ｂ）のｄ−ｄ断面図を示す。図５（ｅ）は、図５（ｂ）のｅ−ｅ図を示す。図５（ｆ）は、図５（ｆ）のｆ−ｆ断面図を示す。図６は、第１実施形態に係るドライブシャフトの外観図（（ａ）正面図、（ｂ）側面図）を示す。以下の説明では、図３の矢印で示すように、ダイヤル５０が露出している正面を「前」、背面を「後ろ」として説明する。また、各部品（パーツ）の説明では、部品が組み込まれた状態を前から見た場合を基準に説明する。
【００２５】
ダイヤル錠Ａ（本発明のダイヤル錠の一例）は、ケース１０、表面プレート２０、ダイヤルシャフト３０、メモリーローター４０、ダイヤル５０、ツマミ６０、カンヌキ（閂）７０、フォーク８０、ドライブシャフト９０、センターカム１００、クランク１１０、クランクＳＰ、切替シャフト１２０、感触バネ１４０、検索バネ１５０、検索アーム１６０、検索アームＳＰ、シリンダー１７０、フォーク押さえ板１８０、プロテクター１９０等によって、構成されている（図３等参照）。
【００２６】
ダイヤル錠Ａは、施錠状態と、解錠状態と、解錠状態とするダイヤル符号の組合せである解錠符号を自由に設定可能な自由設定ダイヤル状態と、解錠符号の組合せが固定された固定ダイヤル状態とを有する。施錠状態は、カンヌキ７０が収納庫や扉の受具と係合する状態であり（図１Ｂ（ｂ）参照）、解錠状態は、カンヌキ７０と、収納庫や扉の受具との係合が解除された状態である（図１Ｂ（ａ）参照）。
【００２７】
ケース１０（本発明の筐体の一例）は、正面が開放され、上下方向に長い直方体の箱型形状であり、内部に各パーツを収用する。ケース１０は、上下方向に長い長方形のケースの後壁１１と、ケースの後壁１１の４辺から立ち上げられた、ケースの右壁１２、ケースの左壁１３、ケースの上壁１４、ケースの下壁１５によって構成されている。また、ケース１０には、収容する各パーツや表面プレート２０を固定するための切欠き、孔、凹凸、爪等が設けられている。例えば、ケースの後壁１１の中央付近には、ケースの後壁１１から立ち上げられ、切替シャフト１２０を支持する、円筒状の切替シャフト受け１６が設けられている。切替シャフト受け１６の下側近傍には、ケースの後壁１１から立ち上げられ、カンヌキＳＰの一端を支持する、柱状の第１カンヌキ受け１７ａが設けられている。ケースの下壁１５には段差１８が形成されており、この段差１８に、カンヌキＳＰの他端を支持する、円柱状の突起からなる、第２カンヌキ受け１７ｂが設けられている（図２参照）。
【００２８】
表面プレート２０は、ケース１０と接続され、ケース１０の開放部分、換言すると、ダイヤル錠Ａの正面を覆う。表面プレート２０は、ダイヤルの表示窓２１、ツマミの開口部２２、シリンダーの開口部２３を有する。ダイヤルの表示窓２１は、ダイヤル５０を表示する。ダイヤルの表示窓２１は、上下方向（縦方向）に長い長方形の開口で構成され、ダイヤル５０の数に応じて４か所形成されている。ツマミの開口部２２は、ツマミ６０が挿通する。ツマミの開口部２２は、円形の貫通孔で構成されている。シリンダーの開口部２３は、シリンダー１７０の前面を覆うシリンダーキャップ１７１が挿通する。シリンダーの開口部２３は、ツマミの開口部２２に隣接し、円形の貫通孔で構成されている。なお、ツマミ６０は、表面プレート２０に組み付け、ツマミ６０と表面プレート２０とを一体的に構成してもよい。
【００２９】
ツマミ６０は、本発明の操作部の一部を構成し、施錠位置（ＣＬＯＳＥ）と解錠位置（ＯＰＥＮ）との間を回動し、センターカム１００等を介して、受具（図示せず）と係合するカンヌキ７０を操作する。ツマミ６０は、円盤状の本体部と円盤状の本体部から正面側に突出した突状部で構成されている。
【００３０】
ダイヤル５０（本発明のダイヤル部の一例）は、任意の解錠符号に設定自在である。第１実施形態では、ダイヤル５０が４つ設けられているが、ダイヤルの数は、１又は複数とすることができる。ダイヤル５０は、円盤状であり、外周面に０から９の解錠符号である数字が印刷された数字部５１が形成されている（図４参照）。ダイヤル５０は、中心に貫通孔５２がありダイヤルシャフト３０を挿通可能である。ダイヤル５０の内周部には、メモリーローター４０の外周部の歯車状の凹凸と係合するダイヤルの歯車部５２ａが形成されている。また、ダイヤル５０の外周部には、解錠符号と解錠符号の間に、ダイヤルの谷部５３が形成されている。ダイヤル５０は、解錠状態かつ自由設定ダイヤル状態において、メモリーローター４０との係合が解除されてメモリーローター４０から独立して回動し、それ以外の状態では、メモリーローター４０と係合してメモリーローター４０と共に回動する。
【００３１】
メモリーローター４０（本発明のローター部の一例）は、ダイヤル５０と係合した際、ダイヤル５０と共に回動する。メモリーローター４０とダイヤル５０との係合は、後述するクランク１１０等により解除可能である。第１実施形態では、メモリーローター４０が４つ設けられているが、メモリーローター４０の数は、ダイヤル５０と同じく、１又は複数とすることができる。メモリーローター４０は、ダイヤル５０を貫通するメモリーローターの小円柱部４１と、メモリーローターの小円柱部４１と連なりメモリーローターの小円柱部４１よりも径が大きいメモリーローターの大円柱部４２を有する。メモリーローターの小円柱部４１の先端側の外周面には、番号検索の際、検索バネの先端部が嵌まり込む検索用の切欠き部４１ａが形成されている。また、メモリーローターの小円柱部４１の基端側の外周面には、ダイヤルの歯車部５２ａと係合するメモリーローターの歯車部４４（図５ｅ参照）が形成されている。また、メモリーローターの大円柱部４２の外周面には、フォークの歯の先端部８２ａが嵌まり込むメモリーローターの切欠き部４２ａが形成されている。メモリーローター４０は、中心にメモリーローターの貫通孔４３が形成され、ダイヤルシャフト３０を挿通可能である。
【００３２】
ダイヤルシャフト３０（本発明の軸部の一例）は、ケース１０に支持され、軸方向（左右方向）へ往復動自在である。ダイヤルシャフト３０は、解錠状態かつ自由設定ダイヤル状態において往動位置となり（図５（ａ）参照）、それ以外の状態である、施錠状態かつ自由設定ダイヤル状態、施錠状態かつ固定ダイヤル状態、及び解錠状態かつ固定ダイヤル状態において復動位置となる（図５（ｂ）参照）。また、ダイヤルシャフト３０は、ダイヤル５０、及びメモリーローター４０を回動自在に支持する。ダイヤルシャフト３０は、一端にクランク１１０と係合するダイヤルシャフトの受部３１が設けられている。
【００３３】
プッシュナット３９は、ダイヤルシャフト３０からメモリーローター４０、及びダイヤル５０が外れないよう、ダイヤルシャフト３０の他端（ダイヤルシャフトの受部３１の反対側の端部）に固定される。
【００３４】
カンヌキ７０は、収納庫や扉の受具と係合する。カンヌキ７０（本発明の閂の一例）は、長方形のプレートからなり、ドライブシャフト９０に接続され、ツマミ６０の回動と連動して、左右方向にスライドする。カンヌキ７０には、ドライブシャフトの大突起９１（図６参照）と係合するカンヌキの大切欠き７１（本発明の貫通溝の一例）、ドライブシャフトの小突起９２と係合するカンヌキの第１小切欠き７２（本発明の支持用切欠きの一例）、フォークのアーム先端部８３ａと係合するカンヌキの第２小切欠き７３ａ，７３ｂが形成されている。カンヌキの大切欠き７１は、カンヌキ７０の右側の一辺から左方向に向けて直線状に切り欠かれている。カンヌキの第１小切欠き７２は、カンヌキの大切欠き７１の近傍であって、カンヌキ７０の上辺のうち、カンヌキの大切欠き７１が形成されている側に設けられ、奥（下方）に向けて湾曲するように（Ｊ字形状）切り欠かれている。カンヌキの第２小切欠き７３ａ，７３ｂは、カンヌキ７０の上辺のうち、中央付近に設けられ、凹状に切り欠かれている。カンヌキの第２小切欠き７３ａは、解錠状態において、フォークのアーム先端部８３ａに対応する位置に設けられている。カンヌキの第２小切欠き７３ｂは、施錠状態において、フォークのアーム先端部８３ａに対応する位置に設けられている。なお、第１実施形態に係るダイヤル錠Ａは、カンヌキ７０に加えて、収納庫や扉の受具と係合する、バネで付勢されたラッチ７５（図１Ａ等参照）を有している。
【００３５】
フォーク８０（本発明の規制部の一例）は、メモリーローター４０、及びカンヌキ７０と係合する。フォーク８０は、フォークのシャフト８１と、フォークのシャフト８１に連なる櫛状のフォークの本体部８２、フォークのシャフト８１から伸びるフォークのアーム部８３を有する。フォークのアーム部８３は、クランク１１０との衝突を回避するため、曲げ部８３ｂを有している。櫛状のフォークの本体部８２は、４本の細い歯を有している。細い歯の先端部となるフォークの歯の先端部８２ａは、三角状の突起を有しており、メモリーローターの切欠き部４２ａと係合する。フォーク８０は、ダイヤルの表示窓２１に表示される番号が解錠符号の場合、フォークの歯の先端部８２ａとメモリーローターの切欠き部４２ａとが係合する。ダイヤルの表示窓２１に表示される番号が、解錠符号の場合には、フォークのアーム先端部８３ａは、カンヌキの第２小切欠き７３ａ，７３ｂの何れとも係合しない。一方、フォーク８０は、ダイヤルの表示窓２１に表示される番号が解錠符号以外の番号の場合、フォークの歯の先端部８２ａとメモリーローターの切欠き部４２ａとの係合が解除され、フォークのシャフト８１を回動軸として、メモリーローター４０から離れる方向（下方向）に回動する。その結果、フォークのアーム先端部８３ａは、カンヌキの第２小切欠き７３ａ，７３ｂと係合し、カンヌキ７０のスライドを規制する。ダイヤル錠Ａでは、施錠状態、かつ、ダイヤルの表示窓２１に表示される番号が、解錠符号以外の番号の場合、フォークのアーム先端部８３ａが、カンヌキの第２小切欠き７３ｂと係合し、カンヌキ７０のスライドが規制される（図７（ｃ）参照）。ここで、通常、解錠状態では、解錠符号がダイヤルの表示窓２１に表示されるため、解錠状態では、解錠符号以外の番号がダイヤルの表示窓２１に表示されない限り、フォークのアーム先端部８３ａは、カンヌキの第２小切欠き７３ａと係合しない。
【００３６】
ドライブシャフト９０は、本発明の操作部の一部を構成し、センターカム１００、及びカンヌキ７０と係合し、ツマミ６０と係合するセンターカム１００と連動して、カンヌキ７０をスライドさせる。ドライブシャフト９０は、扇状のドライブシャフトの本体部９３、センターカムの先端凸部１０１と係合するドライブシャフトの凹部９４、カンヌキの大切欠き７１と係合するドライブシャフトの大突起９１、カンヌキの第１小切欠き７２と係合するドライブシャフトの小突起９２を有する。ドライブシャフトの凹部９４は、ドライブシャフトの本体部９３の表面に形成された細長状の凹部によって形成されている。ドライブシャフトの大突起９１は、ドライブシャフトの本体部９３の裏面から突出する突起によって形成されている。ドライブシャフトの小突起９２は、ドライブシャフトの本体部９３の裏面から突出する、ドライブシャフトの大突起９１よりも小さい突起によって形成されている。
【００３７】
センターカム１００は、本発明の操作部の一部を構成し、ドライブシャフト９０、及びツマミ６０と係合し、カンヌキ７０をスライドさせる。また、センターカム１００は、クランク１１０と接触して、クランク１１０を介してダイヤルシャフト３０をスライドさせる。センターカム１００は、クランク１１０と接するセンターカムの円盤部１０２、ツマミ６０と係合するセンターカムのシャフト１０３、ドライブシャフト９０と係合するセンターカムの先端凸部１０１を有する。センターカムの円盤部１０２は、中心（センタカムシャフトの軸）から円周までの距離が一定でなく、略楕円状であり、自由設定ダイヤル状態において、クランク１１０のクランク当接部１１１ａと接する。センターカムのシャフト１０３は、センターカムの円盤部１０２の中心から表面側に立ち上がり、先端側が扁平形状の軸からなり、ツマミ６０と係合する。センターカムの先端凸部１０１は、センターカムの円盤部１０２の中心から裏面側突出した、扁平形状の突起からなり、ドライブシャフトの凹部９４と係合する。
【００３８】
クランク１１０（本発明の切替部の一例）は、解錠状態かつ自由設定ダイヤル状態において、ダイヤルシャフト３０を往動位置に移動させ、その他の状態では、ダイヤルシャフト３０を復動位置に移動させる。クランク１１０は、棒状のクランク本体部１１１、クランク本体部１１１から分岐するクランク枝部１１２、クランク本体部１１１とクランク枝部１１２とが分岐する分岐部に設けられ、ケース１０の奥行き方向に延びるクランクシャフト１１３を有する。クランク１１０は、クランク本体部１１１の先端部に設けられ、センターカムの円盤部１０２に当接するクランク当接部１１１ａが、センターカムの円盤部１０２の円周に接するように、クランク１１０を付勢するクランクＳＰによって付勢されている（図７参照）。
【００３９】
切替シャフト１２０は、クランク１１０の位置を変化させて、固定ダイヤル状態と自由設定ダイヤル状態を切り替える。切替シャフト１２０は、ダイヤル錠Ａの前後方向に延びる切替シャフトの本体部１２１、切替シャフトの本体部１２１の基端部に設けられた切替シャフトの操作部１２２、切替シャフトの本体部１２１の先端部に設けられた切替シャフトの係合部１２３を有する。切替シャフトの操作部１２２は、ケース１０の背面から露出しており、切替シャフト１２０の回動操作を受け付ける。切替シャフトの係合部１２３は、自由設定ダイヤル状態において、クランク枝部１１２の先端部を収容する凹部を有している。切替シャフトの係合部１２３は、固定ダイヤル状態では、凹部がクランク枝部１１２に背を向けるようになり、クランク枝部１１２の先端部を収容しない（図１０、図１１参照）。
【００４０】
感触バネ１４０は、ダイヤルの谷部５３と当接してダイヤル５０を回動させた際の感触（クリック感）を発生させる（図１２参照）。感触バネ１４０は、感触バネの本体部１４１、感触バネのアーム１４２、感触バネの爪部１４３を有する。感触バネの本体部１４１は、ケースの後壁１１、ケースの左壁１３、及びケースの右壁１２に沿う、コ字状（Ｕ字状）であり、感触バネのアーム１４２を支持する。感触バネのアーム１４２は、ダイヤル５０の数に合わせて４つ、感触バネの本体部１４１から立ち上げられている。感触バネの爪部１４３は、感触バネのアーム１４２の先端部に設けられた突起からなり、通常、ダイヤルの谷部５３に嵌まっている。
【００４１】
検索バネ１５０は、番号検索の際、検索アーム１６０などの他の部品と協働して番号検索を行う（図１２、図１３参照）。検索バネ１５０は、検索バネの本体部１５１、検索バネの軸部１５２、検索バネのアーム１５３、検索バネの先端部１５４を有する。検索バネの本体部１５１は、左右方向に延び、両端部から立ち上げられた検索バネの軸部１５２、及び検索バネの軸部１５２の間に立ち上げられた検索バネのアーム１５３を支持する。検索バネの軸部１５２は、回動自在にケース１０に軸支されている。検索バネのアーム１５３は、メモリーローター４０の数に合わせて４つ、検索バネの本体部１５１から立ち上げられている。検索バネの先端部１５４は、検索バネのアーム１５３の先端部に設けられた突起からなり、番号検索の際、メモリーローター４０の検索用の切欠き部４１ａに嵌まり込む。
【００４２】
検索アーム１６０は、番号検索の際、上下方向にスライドして、検索バネ１５０を回動させ、番号検索を行う（図１２、図１３参照）。検索アーム１６０は、検索アームの本体部１６１、検索アームの本体部１６１の基端側（上側）に設けられた検索アームの第１係合部１６２、検索アームの先端側（下側）に設けられた検索アームの第２係合部１６３を有する。検索アームの本体部１６１は、上下方向に延びる棒状部材からなり、中央部分において、フォーク８０と接触しないよう湾曲している。検索アームの第１係合部１６２は、検索バネの本体部１５１を挟み込むように、検索バネの本体部１５１と係合し、番号検索の際、検索バネ１５０を回動させる。検索アームの第２係合部１６３は、シリンダー１７０の先端部に設けられたシリンダーの先端突起１７２と係合する。検索アームの第２係合部１６３は、シリンダーの先端突起１７２を受け入れる長方形の検索アームの受け孔１６３ａを有している。検索キー２００を右回りに９０度回動すると、シリンダー１７０の回動に伴って、検索アームの受け孔１６３ａに収容されたシリンダーの先端突起１７２が、検索アームの受け孔１６３ａの壁を押し、検索アーム１６０が上方にスライドする。検索キー２００を左回りに９０度回動すると、シリンダー１７０の回動に伴って、検索アームの受け孔１６３ａに収容されたシリンダーの先端突起１７２が、検索アームの受け孔１６３ａの壁を押し、検索アーム１６０が下方にスライドする。検索アーム１６０は、検索アームＳＰによって、下方へ付勢されている。
【００４３】
シリンダー１７０（内筒）は、鍵穴を有し、番号検索の際、検索キー２００が挿入され、回動する。シリンダー１７０の先端部には、検索アームの受け孔１６３ａに収容される、シリンダーの先端突起１７２が設けられている。
【００４４】
フォーク押さえ板１８０は、ネジでケース１０と固定され、フォーク８０の浮き上がりを抑える。
【００４５】
プロテクター１９０は、ダイヤル５０の周囲、特にダイヤル５０とダイヤル５０との間を覆い、埃などの浸入を抑制する。
【００４６】
＜動作＞
次に、ダイヤル錠Ａの動作について、構成の補足をしながら説明する。動作説明では、固定ダイヤル状態における施錠・解錠、自由設定ダイヤル状態における施錠・解錠、番号検索、について説明する。
【００４７】
＜固定ダイヤル状態における施錠＞
図７は、第１実施形態に係るダイヤル錠について、固定ダイヤル状態における、動作説明図（１）を示す。図７（ａ）は、固定ダイヤル状態、かつ解錠状態における、カンヌキ、クランク、センターカム、フォーク等を示す。図７（ｂ）は、固定ダイヤル状態、かつ解錠状態と施錠状態の間の状態における、カンヌキ、クランク、センターカム、フォーク等を示す。図７（ｃ）は、固定ダイヤル状態、かつ施錠状態における、カンヌキ、クランク、センターカム、フォーク等を示す。なお、図７（ｂ）、図７（ｃ）は、自由設定ダイヤル状態における動作説明図でもある。すなわち、図７（ｂ）は、自由設定ダイヤル状態、かつ解錠状態と施錠状態の間の状態における、カンヌキ、クランク、センターカム、フォーク等を示す。また、図７（ｃ）は、自由設定ダイヤル状態、かつ施錠状態における、カンヌキ、クランク、センターカム、フォーク等を示す。図７において、上側の図は、正面図、下側の図は、斜視図を示す。図８は、第１実施形態に係るダイヤル錠について、固定ダイヤル状態における動作説明図（２）を示す。図８（ａ）は、固定ダイヤル状態、かつ解錠状態と施錠状態の間の状態における、カンヌキ、クランク、センターカム、フォーク等を示す。図８（ｂ）は、固定ダイヤル状態、かつ施錠状態における、カンヌキ、クランク、センターカム、フォーク等を示す。図８において、上側の図は、正面図、下側の図は、側面図を示す。図９は、第１実施形態に係るダイヤル錠について、固定ダイヤル状態又は自由設定ダイヤル状態における動作説明図（３）を示す。図９（ａ）は、固定ダイヤル状態又は自由設定ダイヤル状態、かつ解錠状態における、カンヌキとドライブシャフトの関係を示す。図９（ｂ）は、固定ダイヤル状態又は自由設定ダイヤル状態、かつ解錠状態と施錠状態の間の状態における、カンヌキとドライブシャフトの関係を示す。図９（ｃ）は、固定ダイヤル状態又は自由設定ダイヤル状態、かつ施錠状態における、カンヌキとドライブシャフトの関係を示す。図１０は、第１実施形態に係るダイヤル錠について、固定ダイヤル状態又は自由設定ダイヤル状態における動作説明図（４）を示す。図１０（ａ）は、自由設定ダイヤル状態、かつ施錠状態における、クランクとセンターカムの関係を示す。図１０（ｂ）は、固定ダイヤル状態、かつ施錠状態における、クランクとセンターカムの関係を示す。図１０において、上側の図は、正面図、下側の図は、背面図を示す。図１１は、第１実施形態に係るダイヤル錠について、自由設定ダイヤル状態における動作説明図を示す。図１１（ａ）は、自由設定ダイヤル状態、かつ施錠状態における、クランクと切替シャフトの関係を示す。図１１（ｂ）は、自由設定ダイヤル状態、かつ解錠状態における、クランクと切替シャフトの関係を示す。図１１において、上側の図は、正面図、下側の図は、斜視図を示す。なお、図１１（ｂ）の下側の図では、説明の便宜上、一部のフォークの歯の先端部８２ａを示す。
【００４８】
固定ダイヤル状態では、解錠状態とするダイヤル符号の組合せである解錠符号を固定して使用する。まず、固定ダイヤル状態で使用する解錠符号が設定される。例えば、解錠符号を「９８７６」に設定する場合、切替シャフト１２０が自由設定の位置にある状態（切替シャフトの操作部１２２を自由変換設定にした状態（図１０（ａ）下側の図参照））で、ダイヤルの表示窓２１に「９８７６」を表示させる。自由設定ダイヤル状態の解錠状態では、ダイヤル５０とメモリーローター４０が係合しておらず、両者は独立して回動する（図５（ａ）、図１１（ｂ）参照）。そのため、フォークの歯の先端部８２ａは、メモリーローターの切欠き部４２ａに係合しているが、ダイヤル５０は自由に回動することができる（図１１（ｂ）下側の図参照）。
【００４９】
次に、ダイヤルの表示窓２１に「９８７６」が表示された状態で、切替シャフト１２０が固定の位置（切替シャフトの操作部１２２を固定にした状態（図１０（ｂ）下側の図参照））に合わせられる。切替シャフトの操作部１２２が操作され、切替シャフト１２０が回動すると、クランク１１０の位置が変化する。切替シャフトの係合部１２３は、自由設定ダイヤル状態では、クランク枝部１１２の先端部を凹部に収容し、クランク枝部１１２の先端部と係合している（図１１（ｂ）参照）。切替シャフト１２０が回動し、固定ダイヤル状態となると、凹部がクランク枝部１１２に背を向けるようになり、クランク枝部１１２の先端部は、切替シャフトの係合部１２３の凹部に収容された状態から解放され、切替シャフトの係合部１２３によってクランク枝部１１２が左方向へ押される（図１１（ａ）参照）。クランク枝部１１２が押されると、クランク１１０は、クランクシャフト１１３を中心に右回りに回動する。クランク１１０の回動に伴い、ダイヤルシャフト３０が右方向にスライドする。すなわち、ダイヤルシャフト３０が、往動位置から復動位置へ移動する。固定ダイヤル状態では、自由設定ダイヤル状態と異なり、クランク枝部１１２の先端部が切替シャフトの係合部１２３の凹部に収容された状態から解放され、切替シャフトの係合部１２３によってクランク枝部１１２が左方向へ押されることで、ダイヤルシャフト３０が復動位置で固定される（図５（ｂ）、図１１（ａ）参照）。復動位置では、ダイヤルシャフト３０が右方向へ移動し（図５（ｂ）、図１１（ａ）参照）、ダイヤル５０とメモリーローター４０とが一緒に回動するため、解錠符号が固定されることになる。往動位置は、ダイヤルシャフト３０が左方向へ移動した位置であり、ダイヤル５０とメモリーローター４０とが独立して回動可能な位置でもある。復動位置は、ダイヤルシャフト３０が右方向へ移動した位置であり、ダイヤル５０とメモリーローター４０とが一緒に回動する位置でもある。
【００５０】
ツマミ６０が「ＯＰＥＮ」から「ＣＬＯＳＥ」へと、左回りに回動すると、ツマミ６０と係合するセンターカム１００が回動し、更に、センターカム１００に係合するドライブシャフト９０が回動する。ドライブシャフトの大突起９１は、カンヌキの大切欠き７１にスライド自在に収容され、ドライブシャフトの小突起９２は、カンヌキの第１小切欠き７２に移動自在に収容されている（図７、図９参照）。また、カンヌキ７０は、スライド方向が左右方向のみ許容されている。このような状態で、ドライブシャフト９０が回動すると、ドライブシャフト９０は、ドライブシャフトの大突起９１を回動軸として回動する。ドライブシャフトの小突起９２は、奥に向けて湾曲するカンヌキの第１小切欠き７２内を、奥側、入口側、奥側の順に移動する。一方、ドライブシャフトの大突起９１は、直線状のカンヌキの大切欠き７１内を、奥側、中央、入口側の順に移動する。換言すると、ドライブシャフト９０が回動することで、カンヌキ７０が左右方向にスライドすることになる。
【００５１】
施錠を完了する場合、ツマミ６０が「ＣＬＯＳＥ」位置まで回動し、かつ、ダイヤルの表示窓２１に表示される番号が、解錠符号の「９８７６」以外の番号である必要がある。例えば、ダイヤルの表示窓２１に表示される番号が「１２３４」の場合、ダイヤル５０とメモリーローター４０が回動し、フォークの歯の先端部８２ａとメモリーローターの切欠き部４２ａとの係合が解除される（図８（ｂ）参照）。フォーク８０は、フォークのシャフト８１を回動軸として、メモリーローター４０から離れる方向（下方向）に回動する。その結果、フォークの歯の先端部８２ａが、メモリーローターの大円柱部４２の外周面に乗り上げる。また、フォークのアーム先端部８３ａは、カンヌキの第２小切欠き７３ｂと係合し、カンヌキ７０のスライドが規制される（図７（ｃ）参照）。カンヌキ７０のスライドが規制されることで、カンヌキ７０と係合するドライブシャフト９０、センターカム１００、及びツマミ６０の回動も規制される。以上により、固定ダイヤル状態における施錠が完了する。
【００５２】
＜固定ダイヤル状態における解錠＞
施錠状態では、ダイヤルの表示窓２１に解錠符号の「９８７６」以外の番号（例えば、「１２３４」）が表示されている。そのため、まず、ダイヤル５０が操作され、ダイヤルの表示窓２１に解錠符号である「９８７６」が表示される。ダイヤル５０を操作すると、ダイヤル５０とメモリーローター４０が一緒に回動する。ダイヤルの表示窓２１に解錠符号である「９８７６」が表示されると、フォークの歯の先端部８２ａがメモリーローターの切欠き部４２ａと係合する。その結果、フォークのアーム先端部８３ａとカンヌキの第２小切欠き７３ｂとの係合が解除され、カンヌキ７０のスライドが可能となる。カンヌキ７０のスライドが可能となることで、カンヌキ７０と係合するドライブシャフト９０、センターカム１００、及びツマミ６０の回動も可能となる。以上により、固定ダイヤル状態における解錠が完了する。
【００５３】
＜自由設定ダイヤル状態における施錠＞
自由設定ダイヤル状態では、解錠状態とするダイヤル符号の組合せである解錠符号を自由に設定可能である。使用者は、解錠符号としたい任意の番号を使用ごとに設定できる。例えば、解錠符号を「００００」とする場合、ダイヤルの表示窓２１に「００００」を表示させ、ツマミ６０を「ＣＬＯＳＥ」へと、左回りに回動させる。ツマミ６０が回動すると、ツマミ６０と係合するセンターカム１００が回動し、センターカムの円盤部１０２の外周面によって、クランク当接部１１１ａが左方向へ押される。クランク当接部１１１ａが押されると、クランク１１０は、クランクシャフト１１３を中心に右回りに回動する。クランク本体部１１１の基端部（クランク当接部１１１ａの反対側の端部）がダイヤルシャフトの受部３１と係合しており、クランク１１０の回動に伴い、ダイヤルシャフト３０が右方向にスライドする。すなわち、ダイヤルシャフト３０が、往動位置から復動位置へ移動する。
【００５４】
ダイヤルシャフト３０が右方向へスライドすると、メモリーローター４０も右方向へスライドする。メモリーローター４０が右方向へスライドすると、メモリーローターの歯車部４４（図５参照）が、ダイヤルの歯車部５２ａと係合する。また、メモリーローターの切欠き部４２ａには、フォークの歯の先端部８２ａが係合しており、この状態で、メモリーローター４０とダイヤル５０とは係合している。すなわち、メモリーローター４０とダイヤル５０は、一体となって回動する（図５（ｂ）参照）。また、メモリーローターの切欠き部４２ａにフォークの歯の先端部８２ａが係合している状態では、フォークのアーム部８３が上方に浮き上がっており、フォークのアーム先端部８３ａが、カンヌキの第２小切欠き７３ａ，７３ｂに係合していない。そのため、ツマミ６０を回動することで、カンヌキ７０はスライド自在である（図７（ｂ）参照）。
【００５５】
施錠を完了する場合、ツマミ６０が「ＣＬＯＳＥ」位置まで回動し、かつ、ダイヤルの表示窓２１に表示される番号が、解錠符号の「００００」以外の番号である必要がある。例えば、ダイヤルの表示窓２１に表示される番号が「１２３４」の場合、ダイヤル５０とメモリーローター４０が回動し、フォークの歯の先端部８２ａとメモリーローターの切欠き部４２ａとの係合が解除される。フォーク８０は、フォークのシャフト８１を回動軸として、メモリーローター４０から離れる方向（下方向）に回動する。その結果、フォークの歯の先端部８２ａが、メモリーローターの大円柱部４２の外周面に乗り上げる。また、フォークのアーム先端部８３ａは、カンヌキの第２小切欠き７３ｂと係合し、カンヌキ７０のスライドが規制される（図７（ｃ）参照）。カンヌキ７０のスライドが規制されることで、カンヌキ７０と係合するドライブシャフト９０、センターカム１００、及びツマミ６０の回動も規制される。以上により、自由設定ダイヤル状態における施錠が完了する。
【００５６】
＜自由設定ダイヤル状態における解錠＞
施錠状態では、ダイヤルの表示窓２１に解錠符号の「００００」以外の番号（例えば、「１２３４」）が表示されている。そのため、まず、ダイヤル５０が操作され、ダイヤルの表示窓２１に解錠符号である「００００」が表示される。ダイヤル５０を操作すると、ダイヤル５０とメモリーローター４０が一緒に回動する。ダイヤルの表示窓２１に解錠符号である「００００」が表示されると、フォークの歯の先端部８２ａがメモリーローターの切欠き部４２ａと係合する。その結果、フォークのアーム部８３の先端とカンヌキの第２小切欠き７３ｂとの係合が解除され、カンヌキ７０のスライドが可能となる。カンヌキ７０のスライドが可能となることで、カンヌキ７０と係合するドライブシャフト９０、センターカム１００、及びツマミ６０の回動も可能となる。以上により、自由設定ダイヤル状態における解錠が完了する。
【００５７】
＜番号検索＞
図１２は、第１実施形態に係るダイヤル錠について、番号検索を行う場合の説明図（１）を示す。図１２は、シリンダーに検索キーが挿入された状態の正面図を示す。図１３は、第１実施形態に係るダイヤル錠について、番号検索を行う場合の説明図（２）を示す。図１３は、シリンダーに検索キーが挿入された状態の背面側斜視図を示す。
【００５８】
ダイヤル錠Ａは、使用者が解錠番号を失念してしまった場合でも、検索キー２００を用いて、解錠番号を検索することができる。シリンダー１７０の鍵穴に検索キー２００を挿入し、右回りに約９０度回動させると、シリンダーの先端突起１７２が回動する。シリンダーの先端突起１７２は、検索アームの受け孔１６３ａに収容されている。シリンダーの先端突起１７２が回動すると、検索アームの第２係合部１６３の検索アームの受け孔１６３ａに収容されたシリンダーの先端突起１７２が、検索アームの受け孔１６３ａの壁を押し、検索アーム１６０が上方にスライドする。また、検索アームの第１係合部１６２は、検索バネの本体部１５１を挟み込むように、検索バネの本体部１５１と係合している。検索アーム１６０が上方にスライドすると、検索バネ１５０が回動する。検索バネ１５０が回動すると、検索バネの先端部１５４が、メモリーローターの小円柱部４１の外周面に当接する。以上により、番号検索の準備が整う。
【００５９】
ダイヤル５０を回動させるとメモリーローター４０も一緒に回動する。検索バネの先端部１５４は、メモリーローターの小円柱部４１の外周面をなぞる。検索バネの先端部１５４は、メモリーローターの小円柱部４１に設けられた検索用の切欠き部４１ａの位置に達すると、検索用の切欠き部４１ａに収容され、メモリーローター４０、及びダイヤル５０の回動が規制される。メモリーローター４０、及びダイヤル５０の回動が規制された際にダイヤルの表示窓２１に表示された番号が解錠符号になる。
【００６０】
＜効果＞
第１実施形態に係るダイヤル錠Ａは、切替シャフト１２０などの切替部を備えることで、用途や目的に応じて、自由設定ダイヤル状態と固定ダイヤル状態とを切り替えて使用することができる。また、第１実施形態に係るダイヤル錠Ａは、切替シャフト１２０が、ダイヤル５０と、ツマミ６０、ドライブシャフト９０、及びセンターカム１００などの操作部との間に配置され、クランク１１０がクランク本体部１１１とクランク枝部１１２で構成され、クランク１１０がダイヤルシャフト３０と切替シャフト１２０とドライブシャフト９０などの操作部と連動して回動できるよう構成されている。クランク１１０は、従来技術（例えば、例えば特許文献１に記載の「切替部材（９）」）のように他の部品を介さずに、直接切替シャフト１２０やドライブシャフト９０などの操作部と連動して回動できる。すなわち、第１実施形態に係るダイヤル錠Ａは、自由設定ダイヤル機能と固定ダイヤル機能とを切り替える切替手段が従来よりも簡易な構成となっている。
【００６１】
また、第１実施形態に係るダイヤル錠Ａでは、カンヌキ７０がスライドする。カンヌキ７０は、回動運動するものでもよいが、スライドすることで、回動運動するカンヌキでは取り付けが難しい収納庫や扉にもダイヤル錠Ａを用いることができる。
【００６２】
また、第１実施形態に係るダイヤル錠Ａは、解錠符号を検索することが可能である。また、第１実施形態に係るダイヤル錠Ａでは、切替シャフト１２０がダイヤル５０とドライブシャフト９０などの操作部との間に配置されたことで、ドライブシャフト９０などの操作部の隣に新たな空間が形成され、この空間にシリンダー１７０が配置されている。すなわち、第１実施形態に係るダイヤル錠Ａは、切替シャフト１２０を簡易な構成としたことで生まれた空間をシリンダー１７０の設置場所とすることで、切替シャフト１２０とシリンダー１７０とを並んで配置することができる。その結果、例えば、特許文献１に記載の錠前では、「ノブ」と「検索カム」が「ダイヤルリング」の両側に分散して配置されているが、このような従来技術と比較して、全体の小型化が実現されている。
【００６３】
また、第１実施形態に係るダイヤル錠Ａは、プロテクター１９０を備える。プロテクター１９０を備えることで、埃などがダイヤル５０とダイヤル５０との間に侵入することを抑制できる。その結果、ダイヤル５０やメモリーローター４０の回動の不具合の発生を抑制できる。
【００６４】
＜第２実施形態＞
第２実施形態に係るダイヤル錠Ａは、第１実施形態と異なり、回動自在なカンヌキ７００を備える。図１４は、第２実施形態に係るダイヤル錠の分解斜視図を示す。第２実施形態に係るダイヤル錠Ａでは、センターカム１０００のセンターカムの先端凸部１００１が第１実施形態よりも長く形成され、かつ、カンヌキの係合孔７０１に係合されている。換言すると、第２実施形態に係るダイヤル錠Ａは、ドライブシャフト９０が用いられず、センターカム１０００とカンヌキ７００が直接係合している。また、カンヌキ７００が回動できるよう、ケース１０の角部（左下）に切欠き１５ａが形成されている。
【００６５】
第２実施形態に係るダイヤル錠Ａも、上述した第１実施形態に係るダイヤル錠Ａと同様の効果を奏し、用途や目的に応じて、自由設定ダイヤル状態と固定ダイヤル状態とを切り替えて使用することができる。また、第２実施形態に係るダイヤル錠Ａは、切替シャフト１２０が、ダイヤル５０と、ツマミ６０、及びセンターカム１０００などの操作部との間に配置され、クランク１１０がクランク本体部１１１とクランク枝部１１２で構成され、クランク１１０がダイヤルシャフト３０と切替シャフト１２０などの操作部と連動して回動できるよう構成されている。クランク１１０は、従来技術（例えば、例えば特許文献１に記載の「切替部材（９）」）のように他の部品を介さずに、直接切替シャフト１２０などの操作部と連動して回動できる。すなわち、第２実施形態に係るダイヤル錠Ａは、自由設定ダイヤル機能と固定ダイヤル機能とを切り替える切替手段が従来よりも簡易な構成となっている。
【００６６】
＜第３実施形態＞
図１５は、第３実施形態に係るダイヤル錠に用いられる検索アーム、及び検索アームアシストの組み立て完成斜視図を示す。図１６は、第３実施形態に係るダイヤル錠に用いられる検索アーム、及び検索アームアシストの分解斜視図を示す。
【００６７】
全体図は省略するが、第３実施形態に係るダイヤル錠Ａは、第１実施形態と異なり、シリンダー１７０が内筒交換可能に構成されている。また、これにともない、第３実施形態に係るダイヤル錠Ａは、脱着キー、及び検索アームアシスト２１０を更に備える。また、第３実施形態に係るダイヤル錠Ａは、第１実施形態におけるシリンダー１７０の前面を覆うシリンダーキャップ１７１が省略されており、より簡易な構成である。
【００６８】
脱着キー（内筒交換キーともいう）は、内筒（ロックともいう）を交換する際に用いる。施錠状態において、脱着キーをシリンダー１７０に挿入し、右回りに約９０度回動することで、内筒を引き抜くことができる。
【００６９】
検索アームアシスト２１０は、検索アーム１６０に接続され、番号検索の際、検索アーム１６０と共にスライドして、検索バネ１５０を回動させ、番号検索を行う。内筒交換可能なシリンダー１７０は、第１実施形態に係るシリンダー１７０（非内筒交換タイプ）と比較して、短く設計されている。第１実施形態に係るダイヤル錠Ａでは、シリンダー１７０（非内筒交換タイプ）の先端部のシリンダーの先端突起１７２が検索アームの受け孔１６３ａと係合したが、第３実施形態に係るダイヤル錠Ａでは、シリンダー１７０（内筒交換タイプ）が短く、シリンダーの先端突起１７２が、直接、検索アームの受け孔１６３ａと係合できない（図１３参照）。第３実施形態に係るダイヤル錠Ａでは、シリンダーの先端突起１７２が検索アームアシスト２１０と係合することで、シリンダー１７０（内筒交換タイプ）の回動に伴って、検索アーム１６０のスライドが実現される。
【００７０】
検索アームアシスト２１０は、検索アームの本体部１６１の中央付近に設けられた検索アームの円柱突起１６４と係合する検索アームアシストの係合孔２１１、検索アームの受け孔１６３ａの上方に位置し、シリンダーの先端突起１７２を収容するＵ字状の検索アームアシストの切欠き部２１２、検索アームアシストの係合孔２１１と検索アームアシストの切欠き部２１２との間に連なり、柔軟性を有する検索アームアシストのバネ部２１３を有する。
【００７１】
検索アームアシストの係合孔２１１に検索アームの円柱突起１６４が挿入され、検索アームの円柱突起１６４の先端部に、抜けを抑制するＣＡ止め輪が固定されることで、検索アームアシスト２１０が、検索アーム１６０に固定されている。
【００７２】
検索アーム１６０は、検索アームＳＰ（図示せず）の付勢によって、下方へ押し下げられている（図１２、図１３参照）。脱着キーをシリンダー１７０の鍵穴に挿入し、右回りに約９０度回動させると、シリンダーの先端突起１７２が検索アームアシストの切欠き部２１２と係合して、検索アームアシストの切欠き部２１２を上方へ押し上げる。この状態で、シリンダー１７０（内筒交換タイプ）は、引き抜くことができる。シリンダー１７０（内筒交換タイプ）が引き抜かれると、シリンダーの先端突起１７２と検索アームアシストの切欠き部２１２との係合が解除され、検索アーム１６０は、検索アームＳＰの付勢により、下方へ押し下げられる。例えば、新しいシリンダー１７０（内筒交換タイプ）を挿入する場合、シリンダーの先端突起１７２の位置が検索アームアシストの切欠き部２１２の位置とずれている。ここで、検索アームアシストのバネ部２１３が柔軟性を有していることから、新しいシリンダー１７０（内筒交換タイプ）を挿入すると、検索アームアシストの切欠き部２１２が背面側に撓み、新しいシリンダー１７０（内筒交換タイプ）を左回りに約９０度回動させると、シリンダーの先端突起１７２が検索アームアシストの切欠き部２１２と係合する。
【００７３】
第３実施形態に係るダイヤル錠Ａも、上述した第１実施形態に係るダイヤル錠Ａと同様の効果を奏する。また、第３実施形態に係るダイヤル錠Ａは、脱着キーにより、シリンダー１７０の交換が可能となる。また、検索アーム１６０は、第１実施形態や第２実施形態に係るダイヤル錠Ａと共通の部材を用いることができる。すなわち、検索アームアシスト２１０を用いることで、例えば、第１実施形態や第２実施形態に係るダイヤル錠Ａを内筒交換可能なシリンダー１７０を用いたダイヤル錠として使用することができる。
【００７４】
以上、本発明の実施形態を説明したが、本発明に係るダイヤル錠は、本発明の要旨を逸脱しない範囲において、適宜変更を加えることができる。また、実施形態に係るダイヤル錠Ａは、可能な限りこれらを組み合わせることができる。
【符号の説明】
【００７５】
Ａ・・・ダイヤル錠
１０・・・ケース
２０・・・表面プレート
３０・・・ダイヤルシャフト
４０・・・メモリーローター
５０・・・ダイヤル
６０・・・ツマミ
７０・・・カンヌキ
８０・・・フォーク
９０・・・ドライブシャフト
１００・・・センターカム
１１０・・・クランク
１２０・・・切替シャフト
１４０・・・感触バネ
１５０・・・検索バネ
１６０・・・検索アーム
１７０・・・シリンダー
１８０・・・フォーク押さえ板
１９０・・・プロテクター
２００・・・検索キー
２１０・・・検索アームアシスト
【図１Ａ】
2019218764.tif 000003
【図１Ｂ】
2019218764.tif 000004
【図２】
2019218764.tif 000005
【図３】
2019218764.tif 000006
【図４】
2019218764.tif 000007
【図５】
2019218764.tif 000008
【図６】
2019218764.tif 000009
【図７】
2019218764.tif 000010
【図８】
2019218764.tif 000011
【図９】
2019218764.tif 000012
【図１０】
2019218764.tif 000013
【図１１】
2019218764.tif 000014
【図１２】
2019218764.tif 000015
【図１３】
2019218764.tif 000016
【図１４】
2019218764.tif 000017
【図１５】
2019218764.tif 000018
【図１６】
2019218764.tif 000019